(57)【特許請求の範囲】
【請求項１】
椅子における背凭れの後方に上下動可能なハンガーを設けたハンガー付き椅子において、背凭れの後面に、左右１対の支持杆を上下摺動可能に、かつ上下複数位置で係止可能とした支持部材を設けるとともに、前記両支持杆を、上限係止位置まで上方に移動させた状態において、支持杆の下端を前記支持部材よりわずかに下方に突出させ、その下端同士を連結し、かつ両支持杆を、下限係止位置まで下方に移動させた状態において、両支持杆の上端を前記支持部材より上方に突出させるとともに、上方に向かうに従って左右方向に互いに離間するように延設し、この支持杆の延設した延杆部の上端に形成した、上下方向の通孔が穿設された偏平な取付部に、背広等が掛けられる程度の長さに左右方向に延び、側面視がほぼ下向き凹状で、背面視がやや下向きに凸状に湾曲した形状を有するハンガー本体の、前記側面視がほぼ下向き凹状の左右端近傍の下面を、前記通孔に挿通させたビスをもって止着することにより、支持杆の上端に左右方向を向くハンガー本体を取り付けたことを特徴とするハンガー付き椅子。
【請求項２】
前記支持杆における左右方向に互いに離間するように延設した部分を、後方斜め上方に向けて延設したことを特徴とする請求項１記載のハンガー付き椅子。
【発明の詳細な説明】
【０００１】
【発明の属する技術分野】
本発明は、椅子における背凭れの後方に、上下動可能なハンガーを設けたハンガー付き椅子に関する。
【０００２】
【従来の技術】
椅子における背凭れの後方に、上下動可能なハンガーを設けたものとしては、ハンガー本体の下部中央に１本の支持杆を取り付け、この支持杆を背凭れの後方に取り付けた中空軸に挿入し、上下方向の位置を調節した後に、ボルトで固定する形態のものが公知である（たとえば、実用新案文献１、２）。
【０００３】
その他、同じく上下動可能な支持杆の上端に折りたたみ式のハンガーを取り付けたものも公知である（たとえば、特許文献１）。
【０００４】
しかし、前者は、ハンガー本体の下部中央に１本の支持杆を取り付け、この支持杆を中空軸に挿入してあるため、ボルトが緩んだ場合に、ハンガー本体が支持杆とともに、中空軸から上方に抜け落ちるおそれがある。
【０００５】
また、後者は、折りたたみ式のため構造が複雑であるばかりでなく、垂直動作杆の上部の左右に、ハンガー本体を構成する左右の腕片を枢着しているため、この枢着部分においてガタつきが生じ、ハンガー本体の位置安定性に欠ける面がある。
【０００６】
【実用新案文献１】
実開平６−４５５５３号公報
【実用新案文献２】
実開平５−７１７９号公報
【特許文献１】
特開平９−２０６１６９号公報
【０００７】
【発明が解決しようとする課題】
本発明は、前記の現状に鑑み、ハンガー本体が支持杆とともに、上方に抜け落ちるおそれをなくするとともに、ハンガー本体の位置安定性を良好にして、ガタつきを防ぎ、かつハンガーを使用しないときに、背凭れの後方に収容する場合に、ハンガー部材を誤って過度に下方に移動させるおそれのないハンガー付き椅子を提供することを目的とする。
【０００８】
【課題を解決するための手段】
本発明によると、上記課題は、次のようにして解決される。
(１)  椅子における背凭れの後方に上下動可能なハンガーを設けたハンガー付き椅子において、背凭れの後面に、左右１対の支持杆を上下摺動可能に、かつ上下複数位置で係止可能とした支持部材を設けるとともに、前記両支持杆を、上限係止位置まで上方に移動させた状態において、支持杆の下端を前記支持部材よりわずかに下方に突出させ、その下端同士を連結し、かつ両支持杆を、下限係止位置まで下方に移動させた状態において、両支持杆の上端を前記支持部材より上方に突出させるとともに、上方に向かうに従って左右方向に互いに離間するように延設し、この支持杆の延設した延杆部の上端に形成した、上下方向の通孔が穿設された偏平な取付部に、背広等が掛けられる程度の長さに左右方向に延び、側面視がほぼ下向き凹状で、背面視がやや下向きに凸状に湾曲した形状を有するハンガー本体の、前記側面視がほぼ下向き凹状の左右端近傍の下面を、前記通孔に挿通させたビスをもって止着することにより、支持杆の上端に左右方向を向くハンガー本体を取り付けたことを特徴とするハンガー付き椅子とする。
【０００９】
(２)  上記(１)項において、前記支持杆における左右方向に互いに離間するように延設した部分を、後方斜め上方に向けて延設する。
【００１０】
【発明の実施の形態】
図１は、本発明の一実施形態のハンガー付き椅子の側面図、図２は、図１に示すハンガー付き椅子における要部の分解斜視図、図３は、同じく要部の背面図、図４は、図３におけるＩＶ〜ＩＶ線縦断面図である。
【００１１】
本発明のハンガー付き椅子(１)は、背凭れ(２)の後方に、上下動可能なハンガー(３)が設けられている。
ハンガー(３)は、ハンガー部材(４)と支持部材(５)と板ばね(６)とにより形成されている。
【００１２】
ハンガー部材(４)は、ハンガー本体(７)と、このハンガー本体(７)から下方に延設された左右１対の支持杆(８)(９)とを備えており、このハンガー部材(４)が、背凭れ(２)の後面(10)に取付けられた支持部材(５)によって上下摺動可能に支持されている。
【００１３】
ハンガー本体(７)は、背広等が掛けられる程度の長さに左右方向に延び、側面視がほぼ下向き凹状で、背面視がやや下向きに凸状に湾曲した形状を有している。
【００１４】
左右１対の支持杆(８)(９)は、それぞれ上下方向の縦杆部(8a)(9a)と、両支持杆(８)(９)を下限係止位置まで下方に移動させた状態において、前記縦杆部(8a)(9a)の上端から上方に向かうに従って左右方向に互いに離間するとともに後方斜め上方に向けて延設された延杆部(8b)(9b)と、前記両支持杆(８)(９)を、上限係止位置まで上方に移動させた状態において、縦杆部(8a)(9a)の下端からわずかに下方に突出し、下方に向かうに従って互いに接近する方向に湾曲された連結部(8c)(9c)とよりなり、両支持杆(８)(９)は、前記連結部(8c)(9c)の下端において、相互に連結されて一体化されている。
【００１５】
前記延杆部(8b)(9b)の上端は、扁平に形成されるとともに、上下方向の通孔(8d)(9d)が穿設されて取付部(8e)(9e)が形成されている。
この取付部(8e)(9e)を、ハンガー本体(７)の左右端近傍の下面(7a)(7a)に、前記通孔(8d)(9d)に挿通させたビス(11)(11)をもって止着することにより、支持杆(８)(９)をハンガー本体(７)に取付けてある。
【００１６】
支持部材(５)は、背面視において、横長なほぼＨ字型をなし、前後方向のほぼ中央において分割されて、前方の本体部材(12)と後方の蓋部材(13)とより形成されている。
【００１７】
本体部材(12)と蓋部材(13)の、互いに対面する、本体部材(12)の後面(12a)と蓋部材(13)の前面(13a)における左右端には、断面が半円状の上下方向の溝部(14)(15)が設けられ、本体部材(12)と蓋部材(13)の両者の溝部(14)(15)によって、上下方向の案内孔(16)が形成されるようになっている。
【００１８】
この左右の案内孔(16)(16)に、左右の支持杆(８)(９)における縦杆部(8a)(9a)が挿通されてハンガー部材(４)が上下摺動可能になっている。
【００１９】
図２、図４に示すように、左右の支持杆(８)(９)における縦杆部(8a)(9a)の前面(8f)(9f)側の上下には、凹部(17a)(17b)が設けられている。
【００２０】
支持部材(５)のうち本体部材(12)の溝部(14)における底部(14a)には、左右方向の溝孔(18)が設けられ、この溝孔(18)に、左右方向を向く円柱体(19)が遊嵌されて、左右方向の軸回りに回動可能になっている。円柱体(19)の左右方向の中央部(19a)は、その一部が前記溝部(18)から突出して、支持杆(８)(９)における前記凹部(17a)(17b)に係合可能な係合凸部の機能を有している。
【００２１】
図５は、図３におけるＶ−Ｖ線横断面図である。
図５、図２に示すように、支持杆(８)(９)は、前記本体部材(12)に、その左右中央の通孔(20)を介して、ボルト(21a)およびナット(21b)をもって止着されている板ばね(６)によって前方に弾性付勢されている。
【００２２】
すなわち、板ばね(６)は、左右方向に長い長方形状をなし、左右方向中央の通孔(6a)に、前記ボルト(21a)を貫挿させて、本体部材(12)に取り付けられているため、板ばね(６)の前面(6b)の左右が、支持杆(８)(９)の後面(8g)(9g)と当接して、支持杆(８)(９)を前方に弾性付勢している。
そのため前記溝部(18)から突出する、円柱体(19)の中央部(19a)は、支持杆(８)(９)における上下の凹部(17a)(17b)に良好に係合し得るようになっている。
【００２３】
図６(ａ)は、支持杆(８)(９)の縦杆部(8a)(9a)における上側の凹部(17a)周辺の部分断面図、図６(ｂ)は同じく下側の凹部(17b)周辺の部分断面図である。
図６(ａ)に示すように、上側の凹部(17a)における上面(17c)の形状は、係合凸部の機能を有する前記円柱体(19)が、前記凹部(17a)との係合が外れて上方に移動するのを阻止するような形状に形成されている。すなわち支持杆(８)(９)における、縦杆部(8a)(9a)の前面(8f)(9f)と、前記上面(17c)とのなす角θ１が、９０度に近く、通常１３０度以下、好ましくは１１５度以下に形成されている。
【００２４】
このようにすることによって、ハンガー(３)を使用後に、ハンガー部材(４)を下げて背凭れ(２)の後方に収容する場合に、ハンガー部材(４)が所定の収容位置を越えて下方に過度に下がることを防止することができる。
【００２５】
また、図６(ｂ)に示すように、下側の凹部(17b)における下面(17d)の形状は、係合凸部の機能を有する前記円柱体(19)が、前記凹部(17b)との係合が外れて下方に移動するのを阻止するような形状に形成されている。すなわち、支持杆(８)(９)における縦杆部(8a)(9a)の前面(8f)(9f)と、前記下面(17d)とのなる角θ２が、９０度に近く、通常１３０度以下、好ましくは、１１５度以下に形成されている。
【００２６】
このようにすることによって、ハンガー(３)を使用しようとする際に、背凭れ(２)の後方に収容されているハンガー部材(４)を、所定の使用位置まで上方に移動させる場合に、ハンガー部材(４)が前記所定の使用位置を越えて上方に過度に移動することを防止することができる。
【００２７】
支持杆(８)(９)は、図４に示すように、後方凸状をなすやや円弧形状に形成されている。これは、支持杆(８)(９)を上下方向に摺動させる際に、板ばね(６)の上下縁端(6c)(6d)によって、支持杆(８)(９)の後面(8g)(9g)が擦られて傷つくことがないようにするためである。
【００２８】
一般にハンガー(３)は、必要に応じて取り付けられる。そのため背凭れ(２)は、ハンガー(３)を取り付けるタイプと取り付けないタイプの両者に対応できるように形成することが望まれる。
このため、図２に示すように、背凭れ(２)の後面(10)の左右中央に、横長な凹部(22)が設けられ、この凹部(22)の中央に、同じく横長な凹状の被係合部(23)が設けられ、この被係合部(23)の左右に雌ねじ部(24)(24)が設けられている。
【００２９】
被係合部(23)は、ハンガー(３)を取り付けない場合に、雌ねじ部(24)(24)を覆うカバー部材(25)を取り付けるためのものであり、雌ねじ部(24)(24)は、ハンガー(３)を取り付ける場合に、ハンガー部材(４)を支持する支持部材(５)を取り付けるためのものである。
【００３０】
カバー部材(25)は、前記凹部(22)内に嵌り込むように、凹部(22)と同じ横長な形状をなし、前面(25a)の左右には、前記凹部(22)内の被係合部(23)と係合する係合部(26)(26)が設けられている。すなわち、前記被係合部(23)の左右端は、奥広となっており、前記係合部(26)(26)は、左右方向外向きの係合爪(26a)(26a)を有し、前記被係合部(23)の奥広な左右端に係合させることによって、カバー部材(25)を背凭れ(２)の後面(10)に取り付けることができる。前記凹部(22)内の雌ねじ部(24)(24)は、カバー部材(25)により覆われ、外部に露出しないため、外観を損なうことがない。
カバー部材(25)の後面(25b)は、たとえば、ネームプレートとしても利用することができる。
【００３１】
一方、ハンガー(３)を取り付ける場合は、次の手順による。
まず、カバー部材(25)と、背凭れ(２)との間に、ドライバーなどを差し込み、カバー部材(25)を取り外す。
【００３２】
次いで、左右１対の支持杆(８)(９)における縦杆部(8a)(9a)を、支持部材(５)の本体部材(12)における左右の溝部(14)(14)に嵌め込み、前記したように、後方から板ばね(６)を、ボルト(21a)およびナット(21b)によって、本体部材(12)に止着し、この板ばね(６)によって、支持杆(８)(９)を前方に弾性付勢する。
なお、円柱体(19)は、予め溝部(14)の底部(14a)における溝孔(18)に遊嵌させておく。
【００３３】
次に、蓋部材(13)を、後方から次のようにして、本体部材(12)と係合させて一体化させる。
【００３４】
図７は、図３におけるVII〜VII線縦断面図である。図７、図２に示すように、蓋部材(13)の前面(13a)における左右の溝部(15)(15)の内方には、それぞれ上下に、前端に係合爪(27a)を有する係合部(27)が設けられ、本体部材(12)の後面(12a)には、前記係合部(27)(27)が係合する被係合孔(28)(28)が対応する位置に設けられている。
【００３５】
蓋部材(13)を、後方から、前記係合部(27)(27)を、本体部材(12)の被係合孔(28)(28)に係合させることにより、蓋部材(13)を、容易に本体部材(12)に一体化させることができる。
【００３６】
本体部材(12)、板ばね(６)、蓋部材(13)には、背凭れ(２)の後面(10)における左右１対の雌ねじ部(24)に対応する位置に、それぞれ通孔(29)(30)(31)が穿設されている。
【００３７】
１対のボルト(32)(32)を、後方から、前記通孔(29)(30)(31)に挿通させて、背凭れ(２)の後面(10)における雌ねじ部(24)(24)に螺合することによって、ハンガー部材(４)を支持する支持部材(５)を板ばね(６)とともに、背凭れ(２)の後面(10)に容易に止着することができる。
【００３８】
図８は、カバー部材(25)を蓋部材(13)に取り付けた場合の、図２におけるVIII〜VIII線横断面図である。
図２、図８に示すように、蓋部材(13)の後面(13b)には、背凭れ(２)の後面(10)における凹部(22)および被係合部(23)とほぼ同形の凹部(33)および被係合部(34)が設けられている。
【００３９】
そのため背凭れ(２)から取り外したカバー部材(25)を、背凭れ(２)の後面(10)に取り付けていたのと同様に、カバー部材(25)の左右の係合部(26)(26)における係合爪(26a)(26a)を、蓋部材(13)の前記被係合部(23)の左右端に係合させることによって、カバー部材(25)を蓋部材(13)の後面(13b)に容易に取り付けることができる。
【００４０】
カバー部材(25)の取り付けによって、ボルト(32)(32)の頭部を覆い、外部に露出させずに、外観を良好にすることができる。
【００４１】
【発明の効果】
本発明によると、次のような効果が奏せられる。
(１)  請求項１記載の発明によれば、左右１対の支持杆の下端同士が連結されているため、ハンガー本体が支持杆とともに、上方に抜け落ちるおそれがない。
またハンガー本体を、左右方向に互いに離間させて延設した、支持杆の上端において、取り付けているため、前記特許文献１に開示されるように、垂直動作杆の上部の左右に、ハンガー本体を構成する左右の腕片を枢着した場合に比較して、ハンガー本体の位置安定性が向上し、ガタつきが生じない。
さらに、支持杆の延設した延杆部の上端に形成した、上下方向の通孔が穿設された偏平な取付部に、背広等が掛けられる程度の長さに左右方向に延び、側面視がほぼ下向き凹状で、背面視がやや下向きに凸状に湾曲した形状を有するハンガー本体の、前記側面視がほぼ下向き凹状の左右端近傍の下面を、前記通孔に挿通させたビスをもって止着することにより、支持杆の上端に左右方向を向くハンガー本体に取り付けてあるため、ハンガー本体の位置安定性を向上させることができるとともに、支持杆の延設した延設部分が、支持部材の上端に当接してストッパーとして作用し、ハンガー本体と支持杆とから形成されるハンガー部材を、誤って過度に下方に移動させるおそれもない。
【００４２】
(２)  請求項２記載の発明によれば、ハンガー本体の位置が、背凭れから、相当程度、後方に離れるため、ハンガー本体に掛けた背広等が、座者の頭部に触れて邪魔になったり、背広等が汚れたりすることを有効に防止することができる。
【図面の簡単な説明】
【図１】  本発明の一実施形態のハンガー付き椅子の側面図である。
【図２】  図１に示すハンガー付き椅子における要部の分解斜視図である。
【図３】  同じく、要部の背面図である。
【図４】  図３におけるIV〜IV線縦断面図である。
【図５】  図３におけるＶ〜Ｖ線横断面図である。
【図６】  (ａ)図は、支持杆の上側の凹部周辺の部分断面図である。
(ｂ)図は、同じく下側の凹部周辺の部分断面図である。
【図７】  図３におけるVII〜VII線縦断面図である。
【図８】  カバー部材を蓋部材に取り付けた場合の、図２におけるVIII〜VIII線横断面図である。
【符号の説明】
(１)ハンガー付き椅子
(２)背凭れ
(３)ハンガー
(４)ハンガー部材
(５)支持部材
(６)板ばね
(6a)通孔
(6b)前面
(6c)上縁端
(6d)下縁端
(７)ハンガー本体
(7a)下面
(８)(９)支持杆
(8a)(9a)縦杆部
(8b)(9b)延杆部
(8c)(9c)連結部
(8d)(9d)通孔
(8e)(9e)取付部
(8f)(9f)前面
(8g)(9g)後面
(10)後面
(11)ビス
(12)本体部材
(12a)後面
(12b)前面
(13)蓋部材
(13a)前面
(13b)後面
(14)(15)溝部
(14a)底部
(16)案内孔
(17a)(17b)凹部
(17c)上面
(17d)下面
(18)溝孔
(19)円柱体
(19a)中央部
(20)通孔
(21a)ボルト
(21b)ナット
(22)凹部
(23)被係合部
(24)雌ねじ部
(25)カバー部材
(25a)前面
(25b)後面
(26)係合部
(26a)係合爪
(27)係合部
(27a)係合爪
(28)被係合孔
(29)(30)(31)通孔
(32)ボルト
(33)凹部
(34)被係合部
【図１】
0004160367.tif 000002
【図２】
0004160367.tif 000003
【図３】
0004160367.tif 000004
【図４】
0004160367.tif 000005
【図５】
0004160367.tif 000006
【図６】
0004160367.tif 000007
【図７】
0004160367.tif 000008
【図８】
0004160367.tif 000009